(57)【要約】      （修正有）【課題】遊技機の前扉に用いるのに適した施錠装置を提供する。【解決手段】シリンダー錠の鍵穴に挿入された鍵の回動動作に伴う回転体９１の回動により、押下部９２が移動部材７１を押し下げ、移動部材７１の下方への移動に伴って当て部７３が下方に移動し、当て部７３の移動に伴って係止部８０が、被係止部に係止される係止位置から、被係止部との係止が解除される解除位置に回動し、係止部８０の回動に伴って係止部８０と被係止部との係止を解除可能とした。【選択図】図４
2012210443.tif 000002
【特許請求の範囲】
【請求項１】
遊技機の筐体に前扉を施錠するための施錠装置であって、
前記前扉に固定される固定部材と、
前記固定部材に回動可能に軸支されるとともに、前記筐体に設けられた被係止部に係止可能な係止部と、
上下方向に移動可能に支持され、上下方向の直線運動を行うことで前記係止部を前記被係止部に係止される係止位置と前記被係止部との係止が解除される解除位置との間で回動させる移動部材と、
シリンダー錠に固定され、シリンダー錠の鍵穴に挿入された鍵の回動動作に伴って回動する回転体とを備え、
前記回転体には、鍵を挿入して回動させたときの回動に伴って前記移動部材を下方に押し下げるための押下部が形成され、
前記移動部材には、前記係止部が前記係止位置に位置するときに前記係止部の上面に当接する当て部が設けられ、
鍵の回動動作に伴う前記回転体の回動により、前記押下部が前記移動部材を押し下げ、前記移動部材の下方への移動に伴って前記当て部も下方に移動し、前記当て部の移動に伴って前記係止部が前記係止位置から前記解除位置に回動し、前記係止部の回動に伴って前記係止部と前記被係止部との係止を解除可能に形成されていることを特徴とする施錠装置。
【請求項２】
前記係止部には、前記筐体に設けられた被係止部を係止する凹溝が形成され、
前記鍵の回動動作に伴う前記回転体の回動により、前記押下部が前記移動部材を下方に押し下げ、前記移動部材の下方への移動に伴う前記当て部の下方への移動によって、前記係止部が前記係止位置から前記解除位置に回動し、前記被係止部が前記凹溝から外れて前記係止部と前記被係止部との係止が解除されることを特徴とする請求項１記載の施錠装置。
【請求項３】
前記凹溝の上縁部は、前記係止部が前記係止位置にあるとき、前記当て部が当接する前記係止部の上面である押下面よりも高位となるように形成されていることを特徴とする請求項２記載の施錠装置。
【請求項４】
前記当て部が当接する前記係止部の上面である押下面は、凹状に形成されていることを特徴とする請求項１から３までのいずれか１項に記載の施錠装置。
【請求項５】
前記固定部材は、前記前扉の反軸支側に前記筐体の側板と平行に設けられた平行部を有し、
前記固定部材の前記平行部と前記平行部よりも前記前扉の軸支側に設けられた前記移動部材との間に前記係止部が配置され、
前記移動部材から前記当て部が前記係止部側に突出し、
前記固定部材の前端と後端との間に、前記移動部材の当て部以外の部分が位置していることを特徴とする請求項１から４までのいずれか１項に記載の施錠装置。
【請求項６】
前記係止部は、上下方向に並んで２つ設けられており、いずれか一方の係止部のみを前記鍵による解錠操作によらず解除位置に回動させた場合であっても、前記移動部材は移動せず、他方の係止部は係止位置を保つように形成されていることを特徴とする請求項１から５までのいずれか１項に記載の施錠装置。
【発明の詳細な説明】
【技術分野】
【０００１】
この発明は、遊技機の筐体に前扉を施錠するための施錠装置に関するものである。
【背景技術】
【０００２】
従来より、前扉を上下に二分割し、それぞれの扉が個々にロックされる遊技機が考案されている。このような遊技機では、上扉は下扉が開放されないと解錠できないように形成し、前扉を開く場合にはまず下扉を解錠して開放し、次に上扉を解錠するようになっている。これは、下扉は開閉を頻繁に行う必要がある一方、上扉は内部に制御基板などの重要部品を人目に晒さないようにする関係上、なるべく開閉しない方が好ましいことに鑑みたものである。
一方、上記したタイプの遊技機においては、上扉を開放するためにはまず下扉の解錠・開放し、上扉のロック解除する手順を踏まなければならず手間が掛かり、扉開放作業の迅速性に欠けるという不都合があったので、特許文献１に示すように、単一の解錠装置で上下扉を同時に解錠可能とした遊技機が考案されている。
【先行技術文献】
【特許文献】
【０００３】
【特許文献１】特開２００７−１３０３５５号公報
【発明の概要】
【発明が解決しようとする課題】
【０００４】
しかし、上記した特許文献１に記載の遊技機では、上下いずれの扉を開放させるかによって鍵の回転角度を変えなければならず、操作が煩わしいという問題点があった。
本願発明は、上記したような遊技機の前扉に用いるのに適した施錠装置を提供することを目的とする。
【課題を解決するための手段】
【０００５】
本願発明の特徴点を、図面に示した発明の実施の形態を用いて、以下に説明する。
なお、括弧内の符号は、発明の実施の形態において用いた符号を示し、本願発明の技術的範囲を限定するものではない。
（特徴点）
（請求項１）
請求項１記載の発明は、次の点を特徴とする。
すなわち、請求項１記載の発明は、遊技機(スロットマシンS)の筐体(1)に前扉(3)を施錠するための施錠装置(6)であって、前記前扉(3)に固定される固定部材(75)と、前記固定部材(75)に回動可能に軸支されるとともに、前記筐体(1)に設けられた被係止部(筐体突起17)に係止可能な係止部(下扉フック80)と、上下方向に移動可能に支持され、上下方向の直線運動を行うことで前記係止部(80)を前記被係止部(17)に係止される係止位置と前記被係止部(17)との係止が解除される解除位置との間で回動させる移動部材(可動板71)と、シリンダー錠(90)に固定され、シリンダー錠(90)の鍵穴に挿入された鍵の回動動作に伴って回動する回転体(回転板91)とを備えている。そして、前記回転体(91)には、鍵を挿入して回動させたときの回動に伴って前記移動部材(71)を下方に押し下げるための押下部(押し下げ突起92)が形成され、前記移動部材(71)には、前記係止部(80)が前記係止位置に位置するときに前記係止部(80)の上面に当接する当て部(押圧片73)が設けられ、鍵の回動動作に伴う前記回転体(91)の回動により、前記押下部(92)が前記移動部材(71)を押し下げ、前記移動部材(71)の下方への移動に伴って前記当て部(73)も下方に移動し、前記当て部(73)の移動に伴って前記係止部(80)が前記係止位置から前記解除位置に回動し、前記係止部(80)の回動に伴って前記係止部(80)と前記被係止部(17)との係止を解除可能に形成されていることを特徴とする。
【０００６】
（請求項２）
請求項２記載の発明は、上記した請求項１記載の発明の特徴点に加え、前記係止部(80)には、前記筐体(1)に設けられた被係止部(17)を係止する凹溝(係止凹部82)が形成され、前記鍵の回動動作に伴う前記回転体(91)の回動により、前記押下部(92)が前記移動部材(71)を下方に押し下げ、前記移動部材(71)の下方への移動に伴う前記当て部(73)の下方への移動によって、前記係止部(80)が前記係止位置から前記解除位置に回動し、前記被係止部(17)が前記凹溝(82)から外れて前記係止部(80)と前記被係止部(17)との係止が解除されることを特徴とする。
【０００７】
（請求項３）
請求項３記載の発明は、上記した請求項２記載の発明の特徴点に加え、前記凹溝(82)の上縁部は、前記係止部(80)が前記係止位置にあるとき、前記当て部(73)が当接する前記係止部(80)の上面である押下面よりも高位となるように形成されていることを特徴とする。
（請求項４）
請求項４記載の発明は、上記した請求項１から３までのいずれか１項に記載の発明の特徴点に加え、前記当て部(73)が当接する前記係止部(80)の上面である押下面は、凹状に形成されていることを特徴とする。
【０００８】
（請求項５）
請求項５記載の発明は、上記した請求項１から４までのいずれか１項に記載の発明の特徴点に加え、前記固定部材(75)は、前記前扉(3)の反軸支側に前記筐体(1)の側板(16)と平行に設けられた平行部を有し、前記固定部材(75)の前記平行部と前記平行部よりも前記前扉(3)の軸支側に設けられた前記移動部材(71)との間に前記係止部(80)が配置され、前記移動部材(71)から前記当て部(73)が前記係止部(80)側に突出し、前記固定部材(75)の前端と後端との間に、前記移動部材(71)の当て部(73)以外の部分が位置していることを特徴とする請求項。
【０００９】
（請求項６）
請求項６記載の発明は、上記した請求項１から５までのいずれか１項に記載の発明の特徴点に加え、前記係止部(80)は、上下方向に並んで２つ設けられており、いずれか一方の係止部(80)のみを前記鍵による解錠操作によらず解除位置に回動させた場合であっても、前記移動部材(71)は移動せず、他方の係止部(80)は係止位置を保つように形成されていることを特徴とする。
【発明の効果】
【００１０】
本発明によれば、遊技機の前扉に用いるのに適した施錠装置を提供することができる。
【図面の簡単な説明】
【００１１】
【図１】本発明の実施の形態であって、スロットマシンＳの分解斜視図である。
【図２】本発明の実施の形態であって、前扉３を外したスロットマシンＳの斜視図である。
【図３】本発明の実施の形態であって、下扉施錠装置70の斜視図である。
【図４】本発明の実施の形態であって、下扉施錠装置70の分解斜視図である。
【図５】本発明の実施の形態であって、上扉施錠装置50の斜視図である。
【図６】本発明の実施の形態であって、施錠装置６の部分側面断面図である。
【図７】本発明の実施の形態であって、施錠装置６における下扉解錠状態の部分側面断面図である。
【図８】本発明の実施の形態であって、施錠装置６における上下扉解錠状態の部分側面断面図である。
【図９】本発明の実施の形態であって、押し下げ片52及び当接片72の変形例を示す断面図である。
【発明を実施するための形態】
【００１２】
本発明の好適な実施の形態を、遊技機としてスロットマシンを例に、図面に基づき説明する。
（図面の説明）
図１乃至図９は、本発明の実施の形態を示すものである。
図１はスロットマシンＳの分解斜視図、図２は前扉３を外したスロットマシンＳの斜視図、図３及び図４は下扉施錠装置70を示す斜視図、図５は上扉施錠装置50を示す斜視図、図６乃至図８は施錠装置６の部分側面断面図であって前扉３の開放手順を示す断面図である。なお、図９は、押し下げ片52及び当接片72の変形例を示す部分断面図である。
【００１３】
（スロットマシンＳ）
本実施の形態におけるスロットマシンＳは、図１に示すように、大きく分けて、正面側に開口部11を有する筐体１、筐体１内部に設けられる交換ユニット２、筐体１の開口部11を開閉可能に塞ぐ前扉３とから構成されており、さらにこの前扉３は、筐体１の開口上部13を開閉可能に塞ぐ上扉30、筐体１の開口下部14を開閉可能に塞ぐ上扉30とから構成されている。
（筐体１）
筐体１は、底板15及び側板16,16'及び天板及び裏板からなる正面側に開口する箱であり、高さ方向略中央部には、二つの側板16,16'の間に水平方向に中板12が設けられている。この中板12の下面には、電源ユニット４が固定されているとともに、底板15にはホッパーユニット５が載置されている。ここで、ホッパーユニット５はメダルを貯留するとともに、入賞時等にメダルを払い出すためのものである。また、前記電源ユニット４は、スロットマシンＳの主電源の入切を行うスイッチや、スロットマシンＳの設定変更の際に使用するスイッチなどを有する操作部4Aを有している。
【００１４】
そして、正面左側の側板16'には、下扉40を係合させ、回転自在に支持するための筐体ヒンジ19が、上下方向に間隔をおいて二つ設けられて設けられている。また、正面右側の側板16の筐体ヒンジ19の対向側には、下扉40を閉めた際、下扉40をロックするための被係止部としての筐体突片17が、上下方向に間隔をおいて二つ設けられているとともに、下扉40を下方から支持し開閉作動をスムーズに行わせるためのガイドレール18が設けられている。さらに、側板16,16'の内面には、交換ユニット２の支持21を固定するための固定装置であるキャッチクリップ10が二つ設けられている。
（交換ユニット２）
交換ユニット２は、種々の部品を設置あるいは固定するための支持体21と、この支持体21に固定されたリールユニット20、基板ユニット24及び設定変更装置120とから形成されている。
【００１５】
支持体21は、方形状の金属枠からなり、リールユニット20及び基板ユニット24を支持するとともに、これらを一体的に取り扱い可能とするためのものである。支持体21としては、他の構成部品を支持固定可能であってもよい。支持体21の正面左側の縦枠には、上扉30を回転自在に係合するための支持体ヒンジ25が、上下方向に間隔をおいて二つ設けられている。また、この支持体ヒンジ25の対向側の縦枠には、上扉30を閉めた際、上扉30をロックするための被係止部としての支持体突片27が、上下方向に間隔をおいて二つ設けられているとともに、上扉30を下方から支持し開閉作動をスムーズに行わせるためのガイドレール28が設けられている。さらに、支持体21の左右の正面側縦枠には、支持体21を筐体１の開口上部13内部に収納した状態で、筐体１に設けられたキャッチクリップ10と係合可能な固定フック26が二つ設けられている。
【００１６】
リールユニット20は、周囲に複数の図柄を表示した複数の回転リール23と、特に図示しないが、回転リール23を回転させるための駆動モータを有している。また、基板ユニット24は、ＣＰＵを中心に構成され、ＲＯＭ、ＲＡＭ、Ｉ／Ｏ等を備えた基板を基板ケースに収納したものであり、遊技及びスロットマシンの作動を制御するための制御装置として機能する。設定変更装置120は、スロットマシンＳの遊技設定を変更する際に使用するものである。具体的には、電源ユニット４の操作部4Aに設けられているスイッチでスロットマシンＳを設定変更モードに切り替え、設定変更装置120に設けられている設定変更スイッチを操作して設定の変更や確定を行うものである。
【００１７】
なお、スロットマシンＳの設定を変更すると出玉率が変わるようになっており、設定変更は遊技場において適宜行われる。ただ、出玉率は店の売り上げに影響するので、みだりに第三者によって変更されることのないよう、設定変更のための操作部を筐体１の開口上部13と開口下部14に分離して配置してある。
交換ユニット２は、筐体１の中板12の上に載置した状態で開口上部13内部に収納され、キャッチクリップ10と固定フック26との係合により筐体１に固定される。
（上扉30）
上扉30は、交換ユニット２の支持体21に回転自在かつロック可能に形成されている板状の扉であり、図１に示すように、略中央部に回転リール23の図柄を正面側から見ることができる図柄表示窓31を有し、図柄表示窓31の周囲には、飾り部33が形成されている。飾り部33は、ランプなどの電飾としてもよい。そして、図柄表示窓31の下方には、７セグメント表示器や液晶表示装置を用いて、遊技に関する数字その他を表示するための表示部32が設けられている。
【００１８】
上扉30の下部右端には、鍵穴34が設けられており、所定の鍵を差し込むことにより、上扉30のロックが解除されるようになっているが、この詳細については後述する。
さらに、図２に示すように、上扉30の裏面上部には、音声を出力するためのスピーカ35が設けられているとともに、一方の側面内部には、前記支持体ヒンジ25に係合可能な上扉係合部36が上下方向に間隔をおいて二つ設けられている。さらに、上扉係合部36の対向側の側面内部には、後述する施錠装置６としての上扉施錠装置50が設けられている。
そして、上扉30は、交換ユニット２を筐体１に収納固定した状態でロックすることにより、筐体１の開口上部13を密閉する。
【００１９】
（下扉40）
下扉40は、筐体１の開口下部14を塞ぐための、上扉30よりも幅厚の扉であり、筐体１の側板16'に回転自在かつロック可能に形成されているものである。下扉40の上部は、スロットマシンを作動させるための操作部41となっており、下扉40の上面は、閉扉時においては、上扉30よりも前側に突出するようになっている。
ここで、前記操作部41としては、図１に示すように、遊技メダルを投入するためのメダル投入口42、貯留メダル数を減じてメダル投入に代えるためのベットスイッチ41A、貯留した投入メダルを払い出すための精算スイッチ41B、回転リール20の回転を開始させるためのスタートスイッチ41C、回転リール20の回転を停止させるためのストップスイッチ41Dが設けられている。また、下扉40の下部には払い出されたメダルを溜めておくためのメダル受け皿43が形成されている。
【００２０】
下扉40の上部右端には、鍵穴44が設けられており、所定の鍵を差し込むことにより、下扉40のロックが解除されるようになっているが、この詳細については後述する。
さらに、図２に示すように、下扉40の裏面側には、前記メダル投入口42から投入されたメダルをホッパーユニット５に誘導しながらメダルの正偽を判断するためのメダルセレクター45が設けられている。また、下扉40の一方の側面内部には、筐体ヒンジ19と係合可能な下扉係合部46が上下方向に間隔をおいて二つ設けられており、下扉係合部46の対向側の側面板の内部には、後述する施錠装置６としての下扉施錠装置70が設けられている。
（施錠装置６）
施錠装置６は、前扉３が筐体１の開口部11を塞いだ状態で施錠し、施錠された前扉３を解錠するための機構である。本実施の形態においては、前扉３は、下扉40のみを開放することができるとともに、上扉30と下扉40とを一体で開放することもできるようになっている。具体的には、下扉40に設けられている鍵穴44に所定の鍵を挿入して所定の角度回転させることにより下扉40が解錠され、下扉40のみを開放することができる。また、上扉30に設けられている鍵穴34に所定の鍵を挿入して所定の角度回転させることにより上扉30及び下扉40が同時に解錠され、上扉30及び下扉40を一体で開放することができるように形成されている。
【００２１】
そして、施錠装置６は、図１に示すように、上扉30に設けられる上扉施錠装置50と、下扉40に設けられる下扉施錠装置70とから構成されている。以下、これらについて詳述するが、説明の都合上、下扉施錠装置70について先に述べる。
（下扉施錠装置70）
下扉施錠装置60は、開放状態の下扉40を筐体１の開口下部14を塞ぐ位置まで回動させることにより自動的に施錠され、鍵穴44に所定の鍵を差し込んで回すことにより解錠できるようになっている。そして、図２及び図３に示すように、下扉40の側面板の内側に設けられた固定部材75と、この固定部材75に固定ピン76を介して回動可能に軸止され下扉40の背面側に突出する鉤状の下扉フック80と、固定部材75に上下方向に移動可能に取り付けられた可動板71とを有しており、下扉フック80が筐体突片17と係合することにより下扉40が施錠されるようになっている。そして、下扉施錠装置70には、鍵の回転により可動板71を下方に移動させ下扉フック80と筐体突片17との係合を解除させるためのシリンダー錠90が設けられている。
【００２２】
固定部材75は、図３及び図４に示すように、可動板71、下扉フック80、シリンダー錠90を下扉40に支持固定するための、断面略コ字型のアングル材である。固定部材75の上端部には、シリンダー錠90が固定され、上下の端部側には下扉フック80を回動可能に軸止するとともに可動板71を支持しその上下動をガイド可能な軸支部76が設けてある。また、固定部材75の長さ方向の中ほどにはガイドローラ77が取り付けられている。このガイドローラ77は、下扉40を閉じたときに、筐体１に設けられたガイドレール18の上面に乗る位置に設けられており、下扉40の開閉作動をスムーズに行わせるとともに、下扉40の反ヒンジ側を支持するためのものである。
【００２３】
シリンダー錠90は、外筒の内部に鍵穴44から挿入される鍵によって回転する内筒（図示せず）を有する錠前であり、内筒の鍵穴44と反対側の端部には、押し下げ突起92を有する回転板91が取り付けられている。そして、鍵を回転させることにより回転板91が回転するようになっている。
下扉フック80は、請求項１に記載の係止部であって、図４及び図６(Ａ)に示すように、係止凹部82及び傾斜部83を有し、固定部材75の固定ピン76に軸止されている。また下扉フック80は、傾斜部83の反対側の端部に設けられたバネ掛け部81と、固定ピン76の下方に形成されたバネ固定部75Bとの間に介在させたバネ85により、傾斜部83が上側に回動する方向に付勢されている。そして、下扉フック80は、下扉40を閉じることにより、傾斜部83が筐体突片18に当接して下側に回動し、さらに下扉40を閉方向に移動させると、傾斜部83が筐体突片18の下側をくぐり抜け、バネ85の復元力で元の位置に復帰して自動的に係止凹部82が筐体突片18に係止されるようになっている。
【００２４】
可動板71は、請求項１に記載の下扉移動体であって、図４に示すように、固定ピン76が貫通する長孔71Cが形成されており、長さ方向の略中央部に設けられたバネ掛け部71Aと、固定部材75の長さ方向の略中央部に形成されたバネ固定部75Aとの間に介在させたバネ74により、常時上方に付勢されている。すなわち可動板71は、図３に示すように、常態において、固定ピン76が長孔71Cの下端に位置するところで停止している。また、可動板71には、常態停止位置において前記シリンダー錠90の回転板91の押し下げ突起92と噛み合う開口部71Bが形成されているとともに、下扉フック80の上端部に当接する押圧片73が二個設けられている。すなわち、固定部材75は、前扉3の反軸支側に筐体1の側板16と平行に設けられた平行部を有し、固定部材75平行部と平行部よりも前扉3の軸支側に設けられた可動板71との間に下扉フック80が配置され、可動板71から押圧片73が下扉フック80側に突出し、固定部材75の前端と後端との間に、可動板71の押圧片73以外の部分が位置している。
【００２５】
そして、シリンダー錠90の回転板91が回転することにより、開口部71Bに噛み合う押し下げ突起92が可動板71を押し下げ、それに伴い可動板71の押圧片73が下扉フック80を押圧するようになっている。なお、押圧片73に押圧された下扉フック80は傾斜部83側が下側に回動し、係止凹部82と筐体突片18との係合が外れ、下扉40が解錠状態になる。
ここで、図４に示すように、下扉フック80の係止凹部82の上縁部86は、下扉フック80が筐体突片17に係止される係止位置（図６（Ａ）参照）にあるとき、押圧片73が当接する下扉フック80の上面である押下面87よりも高位となるように形成されている。具体的には、押下面87は、凹状に形成されている。なお、２つの下扉フック80は、それぞれ別個に固定部材75に取り付けられているので、いずれか一方の下扉フック80のみを鍵による解錠操作によらず、筐体突片17との係止が解除される解除位置（図７（Ａ）参照）に回動させた場合であっても、可動板71は移動せず、他方の下扉フック80は係止位置を保つようになっている。
【００２６】
さらに、可動板71の上端部には、図４及び図６(Ａ)に示すように、常態においてその上端部が下扉40の上面とほぼ同じ高さ（同一の高さあるいは若干下側となる高さ）に位置する水平板状の当接片72が形成されている。
なお、上記構成により、下扉40は単独で解錠可能かつ開閉自在になっている。
（上扉施錠装置50）
上扉施錠装置50の構造は、下扉施錠装置70と基本的には同様である。すなわち、上扉施錠装置50は、図２及び図５に示すように、上扉30の側面板の内側に設けられた固定部材55と、この固定部材55に固定ピン56を介して回動可能に軸止され上扉30の背面側に突出する鉤状の上扉フック60と、固定部材55に上下方向に移動可能に取り付けられた可動板51とを有しており、上扉フック60が支持体突片27と係合することにより上扉30が施錠されるようになっている。そして、上扉施錠装置50には、鍵の回転により可動板51を下方に移動させ上扉フック60と支持体突片27との係合を解除させるためのシリンダー錠100が設けられている。
【００２７】
固定部材55は、図５に示すように、可動板51、上扉フック60、シリンダー錠100を上扉30に支持固定するための、断面略コ字型のアングル材である。固定部材55の下部には、シリンダー錠100が固定され、上下の端部側には上扉フック60を回動可能に軸止するとともに可動板51を支持しその上下動をガイド可能な軸支部56が設けてある。また、固定部材55の下端部にはガイドローラ57が取り付けられている。このガイドローラ57は、上扉30を閉じたときに、交換ユニット２の支持体21に設けられたガイドレール28の上面に乗る位置に設けられており、上扉30の開閉作動をスムーズに行わせるとともに、上扉30の反ヒンジ側を支持するためのものである。
【００２８】
シリンダー錠100の構成は、下扉40のシリンダー錠90と同様であり、押し下げ突起102を有する回転板101を有している。なお、シリンダー錠100は、シリンダー錠90に用いられる鍵と同じ鍵によって解錠操作可能としてもよい。
上扉フック60の構成も、下扉フック80と同様である。すなわち、図５及び図６(Ａ)に示すように、係止凹部62及び傾斜部63を有し、固定部材55の固定ピン56に軸止されている。また上扉フック60は、傾斜部63の反対側の端部に設けられたバネ掛け部61と、固定ピン56の下方に形成されたバネ固定部55Bとの間に介在させたバネ65により、傾斜部63が上側に回動する方向に付勢されている。
【００２９】
可動板51は、図５に示すように、固定ピン56が貫通する長孔が形成されており、長さ方向の略中央部に設けられたバネ掛け部51Aと、固定部材55の長さ方向の略中央部に形成されたバネ固定部55Aとの間に介在させたバネ54により、常時上方に付勢されている。また、可動板51には、常態停止位置において前記シリンダー錠100の押し下げ突起102と噛み合う開口部51Bが形成されているとともに、上扉フック60の上端部に当接する押圧片53が二個設けられている。そして、シリンダー錠100の回転板101が回転することにより、開口部51Bに噛み合う押し下げ突起102が可動板51を押し下げ、それに伴い可動板51の押圧片53が上扉フック60を押圧するようになっている。
【００３０】
さらに、可動板51の下端部には、図５及び図６(Ａ)に示すように、常態においてその下端部が前記下扉40の上面とほぼ同じ高さ（同一の高さあるいは若干上側となる高さ）に位置するとともに、前記下扉施錠装置70の当接片72と面接触する水平板状の押し下げ片52が形成されている。そして、可動板51の下方移動に伴いこの押し下げ片52が当接片72を押し下げることにより、下扉施錠装置70の可動板71が下方に移動するようになっている。
また、前記押し下げ片52の背面側には、図６（Ａ）に示すように、当接片72の背面側と当接可能な引っ掛け片52Aが垂下形成されている。この引っ掛け片52Aは、請求項に記載の一体開放手段であって、上下の可動板51,71が同時に下方移動した状態（図８（Ａ）参照）で上扉30を手前側に引く（開放する）ことにより、下扉40が一緒に開放されるようにするためのものである。そして、上扉施錠装置50のロックを解除する場合には、下扉施錠装置70も同時にロック解除される。つまり上扉30は、下扉40の解錠が解錠開放の条件となっており、下扉40が開放されていれば上扉30を単独で開閉することはできるが、下扉40が閉じている場合には単独で開くことはできないようになっている。
【００３１】
（前扉３の解錠及び開閉）
以上のような構成を有する施錠装置６による前扉３の解錠と前扉３の開閉について、図６乃至図８に基づき説明する。ここで、図６、図７及び図８における(Ｂ)は、同図の(Ａ)におけるシリンダー錠90（又は100）の回転板91(101)を背面視したものを表した図である。
まず、前扉３の施錠時においては、図６(Ａ)に示すように、上扉フック60が支持体突片27と、下扉フック80が筐体突片17と、それぞれ係合しており、当接片72の上面は押し下げ片52の下面と当接している。また、押し下げ片52の引っ掛け片52Aは、当接片72の背面側
に位置している。なおこのとき、シリンダー錠90の回転板91は図６(Ｂ)に示す位置にある。特に図示しないが、シリンダー錠100の回転板101も同様の位置にある。
【００３２】
次に、下扉40の鍵穴44に鍵を挿入して、解錠方向（回転板91が図３に示す黒矢印の方向に回転する鍵の回転方向）に回転させる。鍵の回転に伴い、回転板91が回転し（図７(Ｂ)参照）、可動板71の開口部71Bと噛み合う押し下げ突起92が下方に移動し、可動板71が下
降移動する。そして、図７(Ａ)に示すように、可動板71の下降に伴い、押圧片73が下扉フック80を押し下げ、係止凹部82と筐体突片17の係合が外れて下扉40が解錠される。このとき、当接片72は押し下げ片52から離れて下側に位置している。
さらに、図７(Ａ)に示す状態において、鍵を保持したまま下扉40を開く方向（手前側）に回動させることにより、下扉40のみを開放することができる。すなわち、引っ掛け片52Aは当接片72よりも奥側（筐体内側）に位置しているので、当接片72と押し下げ片52とが干渉することなく、下扉40を開くことができるものである。また、下扉40を解放後に鍵の保持力を緩めると、可動板71はバネ74（図３参照）によって引き上げられ元の位置に戻り、下扉フック80はバネ85によって回動し元の位置に戻る。
【００３３】
一方、前扉３の施錠時において、上扉30の鍵穴34に鍵を挿入して、解錠方向に回転させた場合には、回転板101が回転し（図８(Ｂ)参照）、可動板51の開口部51Bと噛み合う押し下げ突起102が下方に移動し、可動板51が下降移動する。そして、図８(Ａ)に示すように、可動板51の下降に伴い、押圧片53が上扉フック60を押し下げ、係止凹部62と支持体突片27の係合が外れて上扉30が解錠される。このとき、押し下げ片52が当接片72を押し下げることにより、移動板71が下方移動し、これに伴い下扉フック80が押し下げられて回動する。すなわち、上扉30が解錠されると同時に下扉40も解錠される。
そして、図８(Ａ)に示す状態において、鍵を保持したまま上扉30を開く方向（手前側）に回動させることにより、上扉30と下扉40を一体で開放することができる。これは、引っ掛け片52Aが当接片72の背面に引っかかった状態となるため、上扉施錠装置50の可動板51と下扉施錠装置70の可動板71が連結され、上扉30と下扉40とが一体化するからである。
【００３４】
なお、上扉30と下扉40の施錠は、前述したように、上扉30及び下扉40を全閉することにより自動的に行われる。この場合、上扉30を先に閉めることはもとより、上扉30と下扉40を同時に（当接片72と押し下げ片52を鍵操作で係合させたまま一体化して）閉めることも可能である。
このように、本実施の形態によれば、下扉40の鍵穴44を鍵操作することにより、下扉40のみを解錠及び開放することができるとともに、上扉30の鍵穴34を鍵操作することによって、上扉30を解錠すると同時に下扉40も解錠し上下扉を同時に開放することも可能である。従って、例えばホッパーユニット５にメダルを補給する場合やメダルセレクター45のメダル詰まりを直す場合には、鍵穴44に鍵を挿入して解錠し下扉40のみを開放し、リールユニット20のメンテナンスや基板ユニットの点検、あるいは設定変更を行う場合には、鍵穴34に鍵を挿入して解錠し上下扉を一度に開放することができる。従って、重要部品の設置されている開口上部13の内部をみだりに人目に晒すことがないと同時に、開口上部13の開放が必要な場合、及び開口上部13及び開口下部14の双方を開放する必要が有る場合には、上扉30を開けるために下扉40を解錠及び開放する手順を踏む必要が無く、作業を迅速に行うことができる。
【００３５】
すなわち、単純に上扉30と下扉40にそれぞれ鍵を設けて別々に開閉可能とした場合には、上下扉を同時に開放する際に二つの鍵を解錠しなければならないのに対し、本実施の形態ではその手間を省くことができる。
なお、本実施の形態によれば、上扉30のみを解錠して開放することができないが、スロットマシンＳは、開口上部13に制御装置（基板ユニット24）を配置し、開口下部14にホッパーユニット５やメダルセレクター45が配置されているので、下扉40のみを開放して上扉30は開放したくない（すべきでない）場合があるのに対し、上扉30のみを開放して下扉40開放すると好ましくないという状況は考えにくい。さらに、本実施の形態では、設定変更をする場合に操作が必要となる電源ユニット４が筐体１の開口下部14に、設定変更装置120が開口上部13にそれぞれ配置されているので、設定変更の際には上下扉を同時に開放する必要がある。上記した内部装置のメンテナンスに鑑みても、上扉30を単独で開放する必要性に対して、下扉40のみを開放すること及び上扉30及び下扉40を同時に開放する必要性の方がはるかに高く、本実施の形態のように形成することは最も利便性が高いのである。
【００３６】
ここで、上下扉を解錠開放後、下扉40が作業などの支障になる場合には、下扉40のみを閉塞することが考えられる。しかし、上記した実施の形態では、上扉30の施錠時において引っ掛け片52Aが当接片72の上面よりも下方に突出しているので、上扉30の解錠開放によって下扉40を開放した場合には、鍵操作により下扉40の可動板71を下方移動させて当接片72が引っ掛け片52Aよりも下側になるよう（図７(Ａ)参照）保持していなければならず、鍵の差し替えなど操作が面倒である。
そこで、特に図示しないが、上下扉の施錠時（図６参照）においては引っ掛け片52Aが当接片72の上面よりも上側に位置し、上扉30の鍵操作に伴い可動板51が下降移動すると引っ掛け片52Aが当接片72の上面よりも下側となるように形成してもよいものである。すなわち、押し下げ片51は上扉30の解錠操作で当接片72に当接可能であればよく、上扉30が完全に解錠されたとき（図８参照）に、引っ掛け片52Aが当接片72の上面よりも下方に突出する位置となればよい。
【００３７】
（押し下げ片52及び当接片72の変形例）
ここで、上記実施の形態においては、上下扉を一体で開放する際、当接片72を押し下げ片52の背面側に設けた一体開放手段としての引っ掛け片52Aに係止させて、上扉施錠装置50の可動板51と下扉施錠装置70の可動板71が一体的に移動可能となるように形成されていたが、可動板51と可動板71を扉開作動時に一体的にするための一体開放手段の構成としては、上記のものに限られない。
例えば、図９に示すように、押し下げ片52の下面に突起52Bを設けるとともに、当接片72には突起52Bが嵌入可能な係止孔72Bを設け、押し下げ片52と当接片72が当接している状態においては、図９（Ａ）に示すように、係止孔72Bに突起52Bが嵌っており、可動板71が下降移動したとき（下扉40を解錠したとき）には係止孔72Bから突起52Bが抜け出るように形成することができる。突起52Bは円柱形でも角柱形でもよく、係止孔72Bは丸孔でも楕円でもスリットでもよい。
【００３８】
このように形成した場合には、押し下げ片52と当接片72が接触状態のときには、上扉30及び下扉40は前後方向の移動を規制されるので、上扉30を解錠操作して上下扉を一体で開放する際、下扉40が先に開いてしまうことがなく、前扉３の開放作業がやりやすくなる。
なお、特に図示しないが、押し下げ片52に係止孔を設け、当接片72の上面に突起を設けても構わない。いずれにせよ、突起の高さは、シリンダー錠90を回転させたことにより可動板71が解錠位置まで下降したときに、係止孔との係合が解除されるように形成されていればよい。
また、上扉施錠装置50の押し下げ片52、下扉施錠装置70の当接片72は、下扉40の閉操作時に互いに干渉することなく、下扉40と上扉30の同時開放時には、上扉施錠装置50の可動板51と下扉施錠装置70の可動板71を、少なくとも手前側の移動に対して一体化させることができるようになっていれば、種々の態様に形成することができる。
【００３９】
ところで、上記実施の形態及び変形例では、下扉施錠装置70の当接片72の上面が下扉40の上端よりも上側にならないように形成してあったが、当接片72は、下扉40の解錠時（解放時）に上扉30の下端部と干渉しなければ、下扉40の施錠時においてその上面が下扉40の上端よりも上側となっていてもかまわない。
また、上記実施の形態及び変形例では、上扉施錠装置50の押し下げ片52は、図６及び図９（Ａ）に示すように、常態（施錠時）においてその下端部が上扉30の下端とほぼ同じ高さ（下扉40の上端と同じがやや上側）となるよう形成してあったが、上扉30の施錠時において押し下げ片52が上扉30の下端よりも下側（下扉40の上端よりも下側）となるように形成してもよい。このように形成した場合には、下扉40を解放すると押し下げ片52が上扉30の下端部から露出するので、上扉30を鍵により解錠することなく、押し下げ片52を手動で直接引き下げることにより、上扉30の解錠開放が可能になる。押し下げ片52が上扉30の下端より上側にあっても、手を差し入れて押し下げ片52を引き下げることは可能であるが、操作が面倒なので、上扉30をこのように開放したい場合には、上記したように形成するのが好ましい。
【００４０】
なお本発明は、上扉30が筐体１に軸止されている遊技機においても使用することができ、スロットマシン以外の遊技機に使用することができるのはいうまでもない。
【符号の説明】
【００４１】
Ｓ  スロットマシン                  １  筐体
３  前扉
16  側板                            17  筐体突片（被係止部）
70  下扉施錠装置                    71  可動板（移動部材）
73  押圧片（当て部）                75  固定部材
80  下扉フック（係止部）            82  係止凹部（凹溝）
86  上縁部                          87  押下面
90  シリンダー錠                    91  回転板（回転体）
92  押し下げ突起（押下部）
【図１】
2012210443.tif 000003
【図２】
2012210443.tif 000004
【図３】
2012210443.tif 000005
【図４】
2012210443.tif 000006
【図５】
2012210443.tif 000007
【図６】
2012210443.tif 000008
【図７】
2012210443.tif 000009
【図８】
2012210443.tif 000010
【図９】
2012210443.tif 000011